(57)【要約】【課題】ユーザーの誤操作によって消去されたコンテンツを取得できる電子機器を提供する。【解決手段】電子機器１は、操作部１３と、第１記憶部１６と、第２記憶部１７と、処理部１１と、表示部１４とを備える。第１記憶部１６は、印刷可能なコンテンツ２１を有するファイル１９を記憶する。処理部１１は、操作部１３がファイル１９を消去する指示を受け付けると、第１記憶部１６から第２記憶部１７へファイル１９を移動させる。表示部１４は、ファイル１９の再現を問い合わせる問合せ画面３０を表示する。処理部１１は、操作部１３がファイル１９を再現する指示を受け付けると、コンテンツ２１を印刷する印刷処理、又は、ファイル１９が添付された電子メールを送信する送信処理を実行する。処理部１１は、印刷処理又は送信処理を実行した後、第２記憶部１７からファイル１９を消去する。【選択図】図２
2018185880.tif 000002
【特許請求の範囲】
【請求項１】
ユーザーからの指示を受け付ける操作部と、
印刷可能なコンテンツを有するファイルのデータを記憶する第１記憶部と、
第２記憶部と、
前記操作部が前記ファイルを消去する指示を受け付けると、前記第１記憶部から前記第２記憶部へ前記ファイルのデータを移動させる処理部と、
前記第１記憶部から前記第２記憶部へ前記ファイルのデータが移動すると、前記ファイルの再現を問い合わせる問合せ画面を表示する表示部と
を備え、
前記処理部は、
前記問合せ画面の表示後に前記操作部が前記ファイルを再現する指示を受け付けると、前記ファイルのコンテンツを印刷する印刷処理、前記ファイルのデータが添付された電子メールを送信する送信処理、又は前記第２記憶部から前記第１記憶部へ前記ファイルのデータを移動させる移動処理を実行し、
前記印刷処理又は前記送信処理を実行する場合、前記印刷処理又は前記送信処理を実行した後に、前記第２記憶部から前記ファイルのデータを消去する、電子機器。
【請求項２】
前記処理部は、
前記操作部が前記ファイルを再現する指示を受け付けると、前記ファイルのデータ量が規定量以上か否かを判定し、
前記ファイルのデータ量が前記規定量以上であると判定した場合、前記印刷処理を実行し、
前記ファイルのデータ量が前記規定量以上でないと判定した場合、前記送信処理を実行する、請求項１に記載の電子機器。
【請求項３】
前記処理部は、
前記操作部が前記ファイルを再現する指示を受け付けると、前記ファイルのコンテンツの頁数が規定頁数以上か否かを判定し、
前記ファイルのコンテンツの頁数が前記規定頁数以上であると判定した場合、前記印刷処理を実行し、
前記ファイルのコンテンツの頁数が前記規定頁数以上でないと判定した場合、前記送信処理を実行する、請求項１に記載の電子機器。
【請求項４】
前記処理部は、
前記操作部が前記ファイルを再現する指示を受け付けると、前記ファイルのデータ量が規定量以下であるか否かを判定し、
前記ファイルのデータ量が前記規定量以下でないと判定した場合、前記印刷処理を実行し、
前記ファイルのデータ量が前記規定量以下であると判定した場合、前記ファイルのコンテンツの頁数が規定頁数以下か否かを判定し、
前記ファイルのコンテンツの頁数が前記規定頁数以下でないと判定した場合、前記送信処理を実行し、
前記ファイルのコンテンツの頁数が前記規定頁数以下であると判定した場合、前記印刷処理を実行する、請求項１に記載の電子機器。
【請求項５】
前記処理部は、
前記操作部が前記ファイルを再現する指示を受け付けると、前記ファイルの種類が所定の種類に含まれるか否かを判定し、
前記ファイルの種類が前記所定の種類に含まれると判定した場合、前記印刷処理を実行し、
前記ファイルの種類が前記所定の種類に含まれないと判定した場合、前記送信処理を実行する、請求項１に記載の電子機器。
【請求項６】
前記処理部は、
前記操作部が前記ファイルを再現する指示を受け付けると、前記ファイルのコンテンツが秘匿情報であるか否かを判定し、
前記ファイルのデータが秘匿情報でないと判定した場合、前記印刷処理、前記送信処理、又は前記移動処理を実行し、
前記ファイルのデータが秘匿情報であると判定した場合、前記印刷処理、前記送信処理、及び前記移動処理を実行しない、請求項１〜５のいずれか１項に記載の電子機器。
【請求項７】
前記処理部は、
前記操作部が前記ファイルを再現する指示を受け付けると、前記ファイルに対応する対応ファイルのデータが前記第１記憶部に記憶されているか否かを判定し、
前記対応ファイルのデータが前記第１記憶部に記憶されていないと判定した場合、前記印刷処理、前記送信処理、又は前記移動処理を実行し、
前記対応ファイルのデータが前記第１記憶部に記憶されていると判定した場合、前記印刷処理、前記送信処理、及び前記移動処理を実行しない、請求項１〜６のいずれか１項に記載の電子機器。
【請求項８】
前記処理部は、
前記操作部が前記ファイルを再現する指示を受け付けると、前記ファイルに対応する対応ファイルのデータが前記第１記憶部に記憶されているか否かを判定し、
前記対応ファイルのデータが前記第１記憶部に記憶されていないと判定した場合、前記印刷処理、前記送信処理、又は前記移動処理を実行し、
前記対応ファイルのデータが前記第１記憶部に記憶されていると判定した場合、前記ファイルの保存日時が前記対応ファイルの保存日時よりも新しいか否かを判定し、
前記ファイルの保存日時が前記対応ファイルの保存日時よりも新しいと判定した場合、前記印刷処理、前記送信処理、又は前記移動処理を実行し、
前記ファイルの保存日時が前記対応ファイルの保存日時よりも新しくないと判定した場合、前記印刷処理、前記送信処理、及び前記移動処理を実行しない、請求項１〜６のいずれか１項に記載の電子機器。
【請求項９】
前記ファイルと前記対応ファイルとが同一のフォルダーに格納されている、請求項７又は８に記載の電子機器。
【請求項１０】
前記処理部は、前記印刷処理を実行する場合、前記ファイルのコンテンツの印刷を実行させるデータを印刷装置へ送信する、請求項１〜９のいずれか１項に記載の電子機器。
【請求項１１】
前記ファイルのコンテンツを印刷する印刷部を更に備え、
前記処理部は、前記印刷処理を実行する場合、前記印刷部に前記ファイルのコンテンツの印刷を実行させる、請求項１〜９のいずれか１項に記載の電子機器。
【請求項１２】
印刷可能なコンテンツを有するファイルのデータを管理するファイル管理装置との間で相互にデータ通信可能な電子機器であって、
ユーザーからの指示を受け付ける操作部と、
前記ファイル管理装置と接続する通信部と、
前記通信部を介して、前記ファイル管理装置から前記ファイルのデータを取得する処理部と、
前記操作部が、前記ファイルを消去する指示を受け付けると、前記処理部が取得した前記ファイルのデータを記憶する記憶部と、
前記記憶部が前記ファイルのデータを記憶すると、前記ファイルの再現を問い合わせる問合せ画面を表示する表示部と
を備え、
前記処理部は、
前記操作部が、前記ファイルを消去する指示を受け付けると、前記ファイルのデータを消去するよう前記ファイル管理装置に要求し、
前記問合せ画面の表示後に前記操作部が前記ファイルを再現する指示を受け付けると、前記ファイルのコンテンツを印刷する印刷処理、又は前記ファイルのデータが添付された電子メールを送信する送信処理を実行し、
前記印刷処理又は前記送信処理を実行した後に、前記記憶部から前記ファイルのデータを消去する、電子機器。
【請求項１３】
前記処理部は、前記印刷処理を実行する場合、前記ファイルのコンテンツの印刷を実行させるデータを印刷装置へ送信する、請求項１２に記載の電子機器。
【請求項１４】
前記ファイルのコンテンツを印刷する印刷部を更に備え、
前記処理部は、前記印刷処理を実行する場合、前記印刷部に前記ファイルのコンテンツの印刷を実行させる、請求項１２に記載の電子機器。
【発明の詳細な説明】
【技術分野】
【０００１】
本発明は、電子機器に関する。
【背景技術】
【０００２】
書類等を電子化したファイル（電子ファイル）を電子機器によって管理することがある。しかしながら、電子機器を用いてファイルを管理する場合、ユーザーの誤操作によって必要なファイルが消去（誤消去）されると、そのファイルは復元することができない。そこで、このような問題の発生を防止するための手段が種々提案されている。例えば、特許文献１には、バックアップデータが存在しないファイルが消去される際に警告を行う記録再生装置が記載されている。
【先行技術文献】
【特許文献】
【０００３】
【特許文献１】特開２００４−０６２９５７号公報
【発明の概要】
【発明が解決しようとする課題】
【０００４】
本発明は上記課題に鑑みてなされたものであり、その目的は、ユーザーの誤操作によって消去されたファイルのコンテンツを取得できる電子機器を提供することにある。
【課題を解決するための手段】
【０００５】
本発明の一局面に係る電子機器は、操作部と、第１記憶部と、第２記憶部と、処理部と、表示部とを備える。前記操作部は、ユーザーからの指示を受け付ける。前記第１記憶部は、ファイルのデータを記憶する。前記ファイルのデータは、印刷可能なコンテンツのデータを有する。前記処理部は、前記操作部が前記ファイルを消去する指示を受け付けると、前記第１記憶部から前記第２記憶部へ前記ファイルのデータを移動させる。前記表示部は、前記第１記憶部から前記第２記憶部へ前記ファイルのデータが移動すると、前記ファイルの再現を問い合わせる問合せ画面を表示する。前記処理部は、前記問合せ画面の表示後に前記操作部が前記ファイルを再現する指示を受け付けると、前記ファイルのコンテンツを印刷する印刷処理、前記ファイルのデータが添付された電子メールを送信する送信処理、又は前記第２記憶部から前記第１記憶部へ前記ファイルのデータを移動させる移動処理を実行する。前記処理部は、前記印刷処理又は前記送信処理を実行する場合、前記印刷処理又は前記送信処理を実行した後に、前記第２記憶部から前記ファイルのデータを消去する。
【０００６】
本発明の他の局面に係る電子機器は、ファイル管理装置との間で相互にデータ通信可能である。前記ファイル管理装置は、ファイルのデータを管理する。前記ファイルのデータは、印刷可能なコンテンツのデータを有する。当該電子機器は、操作部と、通信部と、処理部と、記憶部と、表示部とを備える。前記操作部は、ユーザーからの指示を受け付ける。前記通信部は、前記ファイル管理装置と接続する。前記処理部は、前記通信部を介して、前記ファイル管理装置から前記ファイルのデータを取得する。前記記憶部は、前記操作部が、前記ファイルを消去する指示を受け付けると、前記処理部が取得した前記ファイルのデータを記憶する。前記表示部は、前記記憶部が前記ファイルのデータを記憶すると、前記ファイルの再現を問い合わせる問合せ画面を表示する。前記処理部は、前記操作部が、前記ファイルを消去する指示を受け付けると、前記ファイルのデータを消去するよう前記ファイル管理装置に要求する。前記処理部は、前記問合せ画面の表示後に前記操作部が前記ファイルを再現する指示を受け付けると、前記ファイルのコンテンツを印刷する印刷処理、又は前記ファイルのデータが添付された電子メールを送信する送信処理を実行する。前記処理部は、前記印刷処理又は前記送信処理を実行した後に、前記記憶部から前記ファイルのデータを消去する。
【発明の効果】
【０００７】
本発明によれば、ユーザーの誤操作によって消去されたファイルのコンテンツを取得することができる。
【図面の簡単な説明】
【０００８】
【図１】本発明の実施形態１に係るファイル復元システムを示す図である。
【図２】本発明の実施形態１に係る情報処理装置の構成を示すブロック図である。
【図３】本発明の実施形態１に係る問い合わせ画面を示す図である。
【図４】本発明の実施形態１に係る情報処理装置の動作を示すフローチャートである。
【図５】本発明の実施形態１に係る印刷処理を示すフローチャートである。
【図６】本発明の実施形態１に係る送信処理を示すフローチャートである。
【図７】本発明の実施形態２に係る問い合わせ画面を示す図である。
【図８】本発明の実施形態２に係る情報処理装置の動作を示すフローチャートである。
【図９】本発明の実施形態３に係る問い合わせ画面を示す図である。
【図１０】本発明の実施形態３に係る情報処理装置の動作を示すフローチャートである。
【図１１】本発明の実施形態４に係る情報処理装置の動作を示すフローチャートである。
【図１２】本発明の実施形態５に係る情報処理装置の動作を示すフローチャートである。
【図１３】本発明の実施形態６に係る情報処理装置の動作を示すフローチャートである。
【図１４】本発明の実施形態７に係る情報処理装置の動作を示すフローチャートである。
【図１５】本発明の実施形態８に係るファイルデータを示す図である。
【図１６】本発明の実施形態８に係る情報処理装置の動作を示すフローチャートである。
【図１７】本発明の実施形態９に係る情報処理装置の第１記憶部が記憶するデータを示す図である。
【図１８】本発明の実施形態９に係る情報処理装置の動作を示すフローチャートである。
【図１９】本発明の実施形態１０に係るファイル復元システムを示す図である。
【図２０】本発明の実施形態１０に係る印刷装置の構成を示すブロック図である。
【図２１】本発明の実施形態１０に係る印刷装置の動作を示すフローチャートである。
【図２２】本発明の実施形態１１に係るファイル復元システムを示す図である。
【図２３】本発明の実施形態１１に係る情報処理装置及びファイルサーバーの構成を示すブロック図である。
【図２４】本発明の実施形態１１に係る情報処理装置の動作を示すフローチャートである。
【図２５】本発明の実施形態１２に係るファイル復元システムを示す図である。
【図２６】本発明の実施形態１２に係る印刷装置及びファイルサーバーの構成を示すブロック図である。
【図２７】本発明の実施形態１２に係る印刷装置の動作を示すフローチャートである。
【発明を実施するための形態】
【０００９】
以下、図面を参照して本発明の実施形態を説明する。ただし、本発明は以下の実施形態に限定されない。図中、同一又は相当部分については同一の参照符号を付して説明を繰り返さない。
【００１０】
［実施形態１］
図１は、実施形態１に係るファイル復元システム１００（ファイル再現システム）を示す図である。図１に示すように、実施形態１に係るファイル復元システム１００は、情報処理装置１、印刷装置２、及びメールサーバー３を備える。実施形態１では、情報処理装置１が本発明に係る電子機器に相当する。なお、実施形態１において、印刷装置２は複合機である。但し、印刷装置２は、情報処理装置１との間でデータ通信が可能で、情報処理装置１から送信されたデータに基づいて用紙等の記録媒体に画像を印刷できる装置であればよく、複合機に限定されない。例えば、印刷装置２は、プリンター又はファクシミリ機器であり得る。
【００１１】
図２は、実施形態１に係る情報処理装置１の構成を示すブロック図である。図２に示すように、情報処理装置１は、処理部１１、記憶部１２、操作部１３、表示部１４、及び通信部１５を備える。なお、実施形態１において、情報処理装置１はノート型パーソナルコンピューター（ラップトップ型コンピューター）である（図１参照）。ノート型パーソナルコンピューターは、ユーザーによって使用されるユーザー端末の一例である。但し、情報処理装置１は、印刷装置２及びメールサーバー３との間でデータ通信が可能で、ファイルデータ等の情報を処理できる装置であればよく、ノート型パーソナルコンピューターに限定されない。例えば、情報処理装置１は、デスクトップ型パーソナルコンピューター、タブレット型端末、又はスマートフォンのようなユーザー端末であり得る。
【００１２】
処理部１１は、例えばＣＰＵ（Ｃｅｎｔｒａｌ  Ｐｒｏｃｅｓｓｉｎｇ  Ｕｎｉｔ）のようなプロセッサーを含む。処理部１１は、記憶部１２に記憶されているプログラムを実行することによって、数値計算、情報処理、及び機器制御（情報処理装置１の各部の動作制御）のような様々な処理を行う。
【００１３】
記憶部１２は、例えばＲＯＭ（Ｒｅａｄ  Ｏｎｌｙ  Ｍｅｍｏｒｙ）及びＲＡＭ（Ｒａｎｄｏｍ  Ａｃｃｅｓｓ  Ｍｅｍｏｒｙ）のようなメモリーを含む。更に、記憶部１２は、例えばＨＤＤ（Ｈａｒｄ  Ｄｉｓｋ  Ｄｒｉｖｅ）あるいはＳＳＤ（Ｓｏｌｉｄ  Ｓｔａｔｅ  Ｄｒｉｖｅ）のようなストレージ（補助記憶装置）を含む。
【００１４】
ＲＯＭは、典型的には、ファームウェアを記憶する。ファームウェアは、情報処理装置１（電子機器）に組み込まれたコンピューターシステム（ハードウェア）を制御するためのソフトウェアである。ＲＡＭは、典型的には、ＯＳ（Ｏｐｅｒａｔｉｎｇ  Ｓｙｓｔｅｍ）を記憶する。また、ＲＡＭは、プロセッサーの作業領域としても機能する。ストレージは、典型的には、アプリケーションプログラム、及び設定値等を記憶する。また、ストレージは、表示部１４に表示する各種の画像（画像データ）を記憶する。画像データは、操作画面の画像データ（レイアウト画像等）を含む。操作画面は、例えば、各種情報の入力が可能なダイアログボックス画面である。
【００１５】
実施形態１において、記憶部１２は、第１記憶部１６及び第２記憶部１７を含む。第１記憶部１６は、典型的には、ＨＤＤ又はＳＳＤによって構成される。第２記憶部１７は、典型的には、ＲＡＭによって構成される。例えば、第２記憶部１７は、ＲＡＭの一種であるＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）によって構成され得る。したがって、第２記憶部１７は、典型的には、第１記憶部１６よりも容量が小さく、第１記憶部１６よりもアクセス速度が速い。よって、第２記憶部１７は、キャッシュメモリー又はバッファーメモリーとして使用され得る。
【００１６】
実施形態１に係る第１記憶部１６は、フォルダーデータ１８、ファイルデータ１９、及び問い合わせ画面データ２０を記憶する。フォルダーデータ１８は、フォルダー画面を表示させるとともに、フォルダー画面を介した入力操作を受け付けるためのデータを含む。また、フォルダーデータ１８は、フォルダーに格納されるファイルデータ１９を特定する情報を含む。フォルダーデータ１８は、フォルダーデータ１８に関連付けられたファイルのファイル画像をフォルダー画面内に表示させる。ファイルデータ１９は、印刷可能なコンテンツデータ２１を有する。コンテンツデータ２１は、例えば文書データである。問い合わせ画面データ２０は、問い合わせ画面を表示させるとともに、問い合わせ画面を介した入力操作を受け付けるためのデータを含む。
【００１７】
第２記憶部１７は、操作部１３がファイルデータ１９を消去する指示を受け付けた際に、ファイルデータ１９を記憶する。具体的には、操作部１３がファイルデータ１９を消去する指示を受け付けると、処理部１１が、第１記憶部１６から第２記憶部１７へファイルデータ１９を移動させる。この結果、ファイルデータ１９が第１記憶部１６から消去される。また、処理部１１は、ファイルデータ１９の第１記憶部１６からの消去にあわせて、フォルダーデータ１８を更新する。
【００１８】
操作部１３は、キーボード及びポインティングデバイスのような入力装置を含み得る。例えば、操作部１３は、ポインティングデバイスとして、マウス及び操作パッドを含み得る。操作部１３は、ユーザーからの指示を受け付ける。表示部１４は、例えば液晶ディスプレー又は有機ＥＬディスプレーのようなディスプレー装置を含む。表示部１４は、処理部１１によって制御されて、各種の画像及び各種の画面を表示する。例えば、処理部１１は、問い合わせ画面データ２０に基づいて、表示部１４に問い合わせ画面を表示させる。
【００１９】
なお、情報処理装置１は、タッチパネルを備え得る。具体的には、タッチパネルは、ディスプレー装置とタッチセンサーとを備える。タッチセンサーは、ディスプレー装置の表示面上に重畳される。情報処理装置１がタッチパネルを備える場合、操作部１３はタッチパネルのタッチセンサーを含み、表示部１４はタッチパネルのディスプレー装置を含む。あるいは、操作部１３は、タッチパネルのタッチセンサーと共に、キーボード及びポインティングデバイスのような入力装置を含む。
【００２０】
通信部１５は、例えば通信インターフェイスであり、ネットワークケーブルと接続するコネクターを含み得る。通信部１５は、印刷装置２と接続し、印刷装置２から送信されたデータを受信する。例えば、通信部１５は、ＬＡＮ（Ｌｏｃａｌ  Ａｒｅａ  Ｎｅｔｗｏｒｋ）を介して印刷装置２と接続する。また、情報処理装置１（処理部１１）は、通信部１５を介して、印刷装置２へデータを送信する。具体的には、処理部１１は、通信部１５を介して、画像データを印刷装置２へ送信するとともに、送信した画像データに基づく印刷の実行を印刷装置２に要求する。印刷装置２は、情報処理装置１から受信したデータに基づいて印刷ジョブを生成する。そして、印刷ジョブに基づき、情報処理装置１から受信した画像データに対応する画像を用紙のような記録媒体に印刷する。なお、処理部１１が印刷ジョブを生成してもよい。処理部１１が印刷ジョブを生成する場合、印刷装置２は、情報処理装置１から受信した印刷ジョブに基づいて記録媒体に画像を印刷する。
【００２１】
通信部１５は更にメールサーバー３と接続し、メールサーバー３から送信された電子メールを受信する。例えば、通信部１５は、インターネットのような公共のネットワークを介してメールサーバー３と接続する。また、情報処理装置１（処理部１１）は、通信部１５を介して、メールサーバー３へ電子メールを送信する。
【００２２】
図３は、実施形態１に係る問い合わせ画面３０を示す図である。図３に示すように、表示部１４はディスプレー装置３１を含み、ディスプレー装置３１が問い合わせ画面３０を表示する。実施形態１において、問い合わせ画面３０は誤消去ファイルの再現を指示するボタン３２（ボタン画像）を含む。以下、ボタン３２を、再現ボタン３２と記載する。表示部１４は、図２を参照して説明したようにファイルデータ１９が第１記憶部１６から第２記憶部１７へ移動すると、再現ボタン３２（問い合わせ画面３０）を表示する。
【００２３】
図２を参照して説明した操作部１３は、問い合わせ画面３０の表示中に、第１記憶部１６から消去されたファイルを再現する指示を受け付けることができる。実施形態１では、ユーザーは、操作部１３を操作して再現ボタン３２を押下することにより、ファイルの再現を指示することができる。処理部１１は、再現ボタン３２が押下されたことを検知すると、コンテンツ再現処理（コンテンツ復元処理）を実行する。例えば、表示部１４（ディスプレー装置３１）は、ポインター３３（ポインター画像）を表示する。ユーザーは、ポインティングデバイスを操作して再現ボタン３２にポインター３３を重ねた後、クリック操作を行う。この結果、処理部１１が再現ボタン３２の押下を検知して、コンテンツ再現処理を実行する。
【００２４】
続いて図１〜図４を参照して、実施形態１に係る情報処理装置１の動作（処理部１１の処理）について説明する。図４は、実施形態１に係る情報処理装置１の動作（処理部１１の処理）を示すフローチャートである。実施形態１に係るコンテンツ再現処理は、印刷処理（ステップＳ１０６）及び送信処理（ステップＳ１０７）を含む。
【００２５】
図４に示す処理（情報処理装置１の動作）は、操作部１３がファイルデータ１９を消去する指示を受け付けることによって開始する。操作部１３がファイルデータ１９を消去する指示を受け付けると、まず、処理部１１は、第１記憶部１６から消去対象のファイルデータ１９を読み出す。この結果、第１記憶部１６から消去対象のファイルデータ１９が消去される。そして、処理部１１は、第１記憶部１６から読み出した消去対象のファイルデータ１９を第２記憶部１７に保存する（ステップＳ１０１）。
【００２６】
処理部１１は、第２記憶部１７に消去対象のファイルデータ１９を保存した後、表示部１４に問い合わせ画面３０（再現ボタン３２）を表示させる（ステップＳ１０２）。また、処理部１１は、表示部１４が問い合わせ画面３０を表示すると、計時処理を開始する。例えば、処理部１１はタイマーを含み、表示部１４が問い合わせ画面３０を表示すると、タイマーを起動する。
【００２７】
なお、問い合わせ画面３０は、好適には、ファイルデータ１９の消去が指示されたフォルダー画面とは異なる位置に表示する。フォルダー画面とは異なる位置に問い合わせ画面３０を表示することにより、ユーザーが再現ボタン３２を意図せず押下することを抑制できる。また、問い合わせ画面３０は、操作部１３がファイルデータ１９を消去する指示を受け付けてから所定の時間だけ遅らせて表示してもよい。問い合わせ画面３０の表示を遅らせることにより、ユーザーが再現ボタン３２を意図せず押下することを抑制できる。
【００２８】
処理部１１は、表示部１４が問い合わせ画面３０を表示すると、再現ボタン３２が押下されたか否かを判定する（ステップＳ１０３）。処理部１１は、再現ボタン３２が押下されていないと判定すると（ステップＳ１０３のＮｏ）、表示部１４が問い合わせ画面３０を表示してから規定時間以上の時間が経過したか否かを判定する（ステップＳ１０４）。規定時間（閾値）は、第１記憶部１６に予め記憶されている。例えば、処理部１１は、タイマーのカウント値が規定値に達したか否かを判定する。以下、問い合わせ画面３０の表示を開始してから経過した時間を、経過時間と記載する場合がある。処理部１１は、経過時間が規定時間以上でないと判定すると（ステップＳ１０４のＮｏ）、ステップＳ１０３の処理に戻る。規定時間は、例えば２分である。なお、規定時間は、操作部１３を介してユーザーが設定可能な設定値であってもよい。
【００２９】
処理部１１は、再現ボタン３２が押下されたと判定すると（ステップＳ１０３のＹｅｓ）、問い合わせ画面３０を閉じる（表示画面から問い合わせ画面３０を消去する）とともに、消去対象のファイルデータ１９が有するコンテンツデータ２１のデータ量が規定量以上か否かを判定する（ステップＳ１０５）。規定量（閾値）は、第１記憶部１６に予め記憶されている。以下、消去対象のファイルデータ１９が有するコンテンツデータ２１を、消去対象のコンテンツデータ２１と記載する場合がある。規定量は、例えば１０ＭＢ（メガバイト）である。なお、規定量は、操作部１３を介してユーザーが設定可能な設定値であってもよい。
【００３０】
処理部１１は、消去対象のコンテンツデータ２１のデータ量が規定量以上であると判定すると（ステップＳ１０５のＹｅｓ）、印刷処理を実行する（ステップＳ１０６）。処理部１１が実行する印刷処理は、消去対象のファイルデータ１９のコンテンツを印刷装置２に印刷させる処理である。また、処理部１１は、消去対象のコンテンツデータ２１のデータ量が規定量以上でないと判定すると（ステップＳ１０５のＮｏ）、送信処理を実行する（ステップＳ１０７）。処理部１１が実行する送信処理は、消去対象のファイルデータ１９を、自分宛（情報処理装置１宛て）の電子メールに添付して送信する処理である。
【００３１】
処理部１１は、印刷処理又は送信処理を実行した後、第２記憶部１７から消去対象のファイルデータ１９を消去する（ステップＳ１０８）。第２記憶部１７から消去対象のファイルデータ１９が消去されると、図４に示す処理は終了する。あるいは、処理部１１は、経過時間が規定時間以上であると判定すると（ステップＳ１０４のＹｅｓ）、問い合わせ画面３０を閉じるとともに、第２記憶部１７から消去対象のファイルデータ１９を消去して（ステップＳ１０８）、図４に示す処理を終了する。
【００３２】
続いて図１〜図５を参照して、実施形態１に係る印刷処理について説明する。図５は、実施形態１に係る印刷処理を示すフローチャートである。実施形態１に係る印刷処理は、消去対象のコンテンツデータ２１のデータ量が規定量以上である場合（図４に示すステップＳ１０５のＹｅｓ）に開始される。実施形態１に係る印刷処理は、情報処理装置１と印刷装置２とが協働して実行する。
【００３３】
図５に示すように、まず情報処理装置１の処理部１１が、通信部１５を介して、消去対象のコンテンツデータ２１に対応する画像データを印刷装置２へ送信するとともに、送信した画像データに基づく印刷の実行を印刷装置２に要求する（ステップＳ１１０）。この結果、印刷装置２が、情報処理装置１から受信したデータに基づいて印刷ジョブを生成する（ステップＳ１１１）。次に印刷装置２は、印刷ジョブに基づき、情報処理装置１から受信した画像データに対応する画像を用紙のような記録媒体に印刷する（ステップＳ１１２）。印刷装置２が印刷を実行すると、図５に示す印刷処理は終了する。
【００３４】
続いて図１〜図４、及び図６を参照して、実施形態１に係る送信処理について説明する。図６は、実施形態１に係る送信処理を示すフローチャートである。実施形態１に係る送信処理は、消去対象のコンテンツデータ２１のデータ量が規定量以上でない場合（図４に示すステップＳ１０５のＮｏ）に開始される。実施形態１に係る送信処理は、情報処理装置１とメールサーバー３とが協働して実行する。
【００３５】
図６に示すように、まず情報処理装置１の処理部１１が、消去対象のファイルデータ１９を添付した自分宛（情報処理装置１宛て）の電子メールを作成する（ステップＳ１２０）。次に情報処理装置１の処理部１１は、通信部１５を介して電子メールをメールサーバー３へ送信する（ステップＳ１２１）。メールサーバー３は、情報処理装置１から受信した電子メールを、その電子メールに記述された宛先へ配信する（ステップＳ１２２）。この結果、情報処理装置１は、記憶部１２から消去されたファイルデータ１９が添付された電子メールを取得する。図６に示す送信処理は、メールサーバー３が電子メールを配信すると終了する。
【００３６】
以上、実施形態１について説明した。実施形態１によれば、ユーザーは、誤操作によって必要なファイルを消去（誤消去）した場合でも、その消去したファイルのコンテンツを取得することができる。具体的には、コンテンツのデータ量が規定量以上である場合、ユーザーは、情報処理装置１（電子機器）から消去したコンテンツが印刷された印刷物を取得することができる。また、コンテンツのデータ量が規定量よりも小さい場合、ユーザーは、情報処理装置１（電子機器）から消去したコンテンツが添付された電子メールを取得することができる。
【００３７】
また、実施形態１によれば、コンテンツのデータ量が規定量よりも小さい場合に、情報処理装置１（電子機器）から消去されたコンテンツが添付された電子メールが送信される。したがって、ファイルデータ１９のデータ量が比較的小さい場合に、電子メールがメールサーバー３に送信される。よって、情報処理装置１のユーザーに割り当てられたメールサーバー３の容量が不足状態となる可能性を低減することができる。
【００３８】
また、実施形態１によれば、問い合わせ画面３０（再現ボタン３２）が表示されてから規定時間が経過すると、問い合わせ画面３０（再現ボタン３２）が表示画面から消える。したがって、ユーザーは、意図的にファイルを消去した場合、何も操作する必要がない。
【００３９】
なお、第１記憶部１６は、複数のファイルを記憶してもよい。また、第１記憶部１６は、複数のフォルダーを記憶してもよい。
【００４０】
［実施形態２］
続いて図１、図２、及び図５〜図８を参照して本発明の実施形態２について説明する。但し、実施形態１と異なる事項を説明し、実施形態１と同じ事項についての説明は割愛する。実施形態２は、問い合わせ画面３０が実施形態１と異なる。
【００４１】
図７は、実施形態２に係る問い合わせ画面３０を示す図である。図７に示すように、実施形態２に係る問い合わせ画面３０は、「はい」ボタン３２ａ（ボタン画像）及び「いいえ」ボタン３２ｂ（ボタン画像）を含む。「はい」ボタン３２ａは、誤消去ファイルの再現を指示するボタンであり、「いいえ」ボタン３２ｂは、問い合わせ画面３０を閉じるためのボタンである。
【００４２】
実施形態２では、ユーザーは、操作部１３を操作して「はい」ボタン３２ａを押下することにより、ファイルの再現を指示することができる。処理部１１は、「はい」ボタン３２ａが押下されたことを検知すると、コンテンツ再現処理（コンテンツ復元処理）を実行する。例えば、ユーザーは、ポインティングデバイスを操作して「はい」ボタン３２ａにポインター３３を重ねた後、クリック操作を行う。この結果、処理部１１が「はい」ボタン３２ａの押下を検知して、コンテンツ再現処理を実行する。また、ユーザーは、操作部１３を操作して「いいえ」ボタン３２ｂを押下することにより、問い合わせ画面３０を閉じることができる。処理部１１は、「いいえ」ボタン３２ｂが押下されたことを検知すると、問い合わせ画面３０を閉じる。換言すると、問い合わせ画面３０が表示画面から消去される。
【００４３】
続いて実施形態２に係る情報処理装置１の動作（処理部１１の処理）について説明する。図８は、実施形態２に係る情報処理装置１の動作（処理部１１の処理）を示すフローチャートである。図８に示すように、実施形態２に係る処理部１１の処理は、図４に示すステップＳ１０３の処理に替えて、ステップＳ２００の処理及びステップＳ２０１の処理を含む。
【００４４】
処理部１１は、第２記憶部１７に消去対象のファイルデータ１９を保存すると（ステップＳ１０１）、図７に示す問い合わせ画面３０を表示部１４に表示させる（ステップＳ１０２）。また、処理部１１は、表示部１４が問い合わせ画面３０を表示すると、計時処理を開始する。
【００４５】
処理部１１は、表示部１４が問い合わせ画面３０を表示すると、「はい」ボタン３２ａが押下されたか否かを判定する（ステップＳ２００）。処理部１１は、「はい」ボタン３２ａが押下されたと判定すると（ステップＳ２００のＹｅｓ）、ステップＳ１０５の処理に進む。一方、処理部１１は、「はい」ボタン３２ａが押下されていないと判定すると（ステップＳ２００のＮｏ）、「いいえ」ボタン３２ｂが押下されたか否かを判定する（ステップＳ２０１）。
【００４６】
処理部１１は、「いいえ」ボタン３２ｂが押下されたと判定すると（ステップＳ２０１のＹｅｓ）、問い合わせ画面３０を閉じるとともに、ステップＳ１０８の処理に進む。一方、処理部１１は、「いいえ」ボタン３２ｂが押下されていないと判定すると（ステップＳ２０１のＮｏ）、ステップＳ１０４の処理に進む。
【００４７】
以上、実施形態２について説明した。実施形態２によれば、ユーザーは、問い合わせ画面３０が表示されてから規定時間が経過する前に、問い合わせ画面３０を閉じることができる。したがって、利便性が向上する。なお、実施形態２によれば、「いいえ」ボタン３２ｂが押下されると問い合わせ画面３０が閉じる。よって、図８に示すステップＳ１０４の処理は省略してもよい。ステップＳ１０４の処理を省略する場合、処理部１１は、「いいえ」ボタン３２ｂが押下されていないと判定すると（ステップＳ２０１のＮｏ）、ステップＳ２００の処理に戻る。
【００４８】
［実施形態３］
続いて図１、図２、図５、図６、図９、及び図１０を参照して本発明の実施形態３について説明する。但し、実施形態１及び２と異なる事項を説明し、実施形態１及び２と同じ事項についての説明は割愛する。実施形態３は、問い合わせ画面３０が実施形態１及び２と異なる。
【００４９】
図９は、実施形態３に係る問い合わせ画面３０を示す図である。図９に示すように、実施形態３に係る問い合わせ画面３０は、再現ボタン３２と、「閉じる」ボタン３２ｃ（ボタン画像）とを含む。「閉じる」ボタン３２ｃは、問い合わせ画面３０を閉じるためのボタンである。
【００５０】
実施形態３では、ユーザーは、操作部１３を操作して「閉じる」ボタン３２ｃを押下することにより、問い合わせ画面３０を閉じることができる。処理部１１は、「閉じる」ボタン３２ｃが押下されたことを検知すると、問い合わせ画面３０を閉じる。
【００５１】
続いて実施形態３に係る情報処理装置１の動作（処理部１１の処理）について説明する。図１０は、実施形態３に係る情報処理装置１の動作（処理部１１の処理）を示すフローチャートである。図１０に示すように、実施形態３に係る処理部１１の処理には、図４に示す処理と比べて、ステップＳ２０３の処理が追加されている。
【００５２】
処理部１１は、問い合わせ画面３０の表示中に、再現ボタン３２が押下されていないと判定すると（ステップＳ１０３のＮｏ）、「閉じる」ボタン３２ｃが押下されたか否かを判定する（ステップＳ２０３）。
【００５３】
処理部１１は、「閉じる」ボタン３２ｃが押下されたと判定すると（ステップＳ２０３のＹｅｓ）、問い合わせ画面３０を閉じるとともに、ステップＳ１０８の処理に進む。一方、処理部１１は、「閉じる」ボタン３２ｃが押下されていないと判定すると（ステップＳ２０３のＮｏ）、ステップＳ１０４の処理に進む。
【００５４】
以上、実施形態３について説明した。実施形態３によれば、ユーザーは、問い合わせ画面３０が表示されてから規定時間が経過する前に、問い合わせ画面３０を閉じることができる。したがって、利便性が向上する。なお、実施形態３によれば、「閉じる」ボタン３２ｃが押下されると問い合わせ画面３０が閉じる。よって、図１０に示すステップＳ１０４の処理は省略してもよい。ステップＳ１０４の処理を省略する場合、処理部１１は、「閉じる」ボタン３２ｃが押下されていないと判定すると（ステップＳ２０３のＮｏ）、ステップＳ１０３の処理に戻る。
【００５５】
［実施形態４］
続いて図１〜図３、図５、図６、及び図１１を参照して本発明の実施形態４について説明する。但し、実施形態１〜３と異なる事項を説明し、実施形態１〜３と同じ事項についての説明は割愛する。実施形態４は、情報処理装置１の動作（処理部１１の処理）が実施形態１〜３と異なる。
【００５６】
図１１は、実施形態４に係る情報処理装置１の動作（処理部１１の処理）を示すフローチャートである。図１１に示すように、実施形態４に係る処理部１１の処理は、図４に示すステップＳ１０５の処理に替えて、ステップＳ３００の処理を含む。
【００５７】
処理部１１は、問い合わせ画面３０の表示中に、再現ボタン３２が押下されたと判定すると（ステップＳ１０３のＹｅｓ）、問い合わせ画面３０を閉じるとともに、消去対象のコンテンツの頁数が規定頁数以上か否かを判定する（ステップＳ３００）。規定頁数（閾値）は、第１記憶部１６に予め記憶されている。規定頁数は、例えば１００頁である。なお、規定頁数は、操作部１３を介してユーザーが設定可能な設定値であってもよい。
【００５８】
処理部１１は、消去対象のコンテンツの頁数が規定頁数以上であると判定すると（ステップＳ３００のＹｅｓ）、印刷処理を実行する（ステップＳ１０６）。また、処理部１１は、消去対象のコンテンツの頁数が規定頁数以上でないと判定すると（ステップＳ３００のＮｏ）、送信処理を実行する（ステップＳ１０７）。
【００５９】
以上、実施形態４について説明した。実施形態４によれば、コンテンツの頁数が規定頁数よりも少ない場合に、情報処理装置１（電子機器）から消去されたコンテンツデータ２１が添付された電子メールが送信される。したがって、ファイルデータ１９のデータ量が比較的小さい場合に、電子メールがメールサーバー３に送信される。よって、情報処理装置１のユーザーに割り当てられたメールサーバー３の容量が不足状態となる可能性を低減することができる。
【００６０】
［実施形態５］
続いて図１〜図３、図５、図６、及び図１２を参照して本発明の実施形態５について説明する。但し、実施形態１〜４と異なる事項を説明し、実施形態１〜４と同じ事項についての説明は割愛する。実施形態５は、情報処理装置１の動作（処理部１１の処理）が実施形態１〜４と異なる。
【００６１】
図１２は、実施形態５に係る情報処理装置１の動作（処理部１１の処理）を示すフローチャートである。図１２に示すように、実施形態５に係る処理部１１の処理は、図４に示すステップＳ１０５の処理に替えて、ステップＳ３０１及びステップＳ３０２の処理を含む。
【００６２】
処理部１１は、問い合わせ画面３０の表示中に、再現ボタン３２が押下されたと判定すると（ステップＳ１０３のＹｅｓ）、問い合わせ画面３０を閉じるとともに、消去対象のコンテンツデータ２１のデータ量が規定量以下か否かを判定する（ステップＳ３０１）。規定量（閾値）は、第１記憶部１６に予め記憶されている。規定量は、例えば１０ＭＢである。なお、規定量は、操作部１３を介してユーザーが設定可能な設定値であってもよい。
【００６３】
処理部１１は、消去対象のコンテンツデータ２１のデータ量が規定量以下でないと判定すると（ステップＳ３０１のＮｏ）、印刷処理を実行する（ステップＳ１０６）。一方、処理部１１は、消去対象のコンテンツデータ２１のデータ量が規定量以下であると判定すると（ステップＳ３０１のＹｅｓ）、消去対象のコンテンツの頁数が規定頁数以下か否かを判定する（ステップＳ３０２）。規定頁数（閾値）は、第１記憶部１６に予め記憶されている。規定頁数は、例えば１００頁である。なお、規定頁数は、操作部１３を介してユーザーが設定可能な設定値であってもよい。
【００６４】
処理部１１は、消去対象のコンテンツの頁数が規定頁数以下であると判定すると（ステップＳ３０２のＹｅｓ）、印刷処理を実行する（ステップＳ１０６）。一方、処理部１１は、消去対象のコンテンツの頁数が規定頁数以下でないと判定すると（ステップＳ３０２のＮｏ）、送信処理を実行する（ステップＳ１０７）。
【００６５】
以上、実施形態５について説明した。実施形態５によれば、コンテンツのデータ量が規定量より小さい場合であっても、コンテンツの頁数が規定頁数以下である場合には、印刷が実行される。よって、情報処理装置１のユーザーに割り当てられたメールサーバー３の容量が不足状態となる可能性を、より一層低減することができる。
【００６６】
［実施形態６］
続いて図１〜図３、図５、図６、及び図１３を参照して本発明の実施形態６について説明する。但し、実施形態１〜５と異なる事項を説明し、実施形態１〜５と同じ事項についての説明は割愛する。実施形態６は、情報処理装置１の動作（処理部１１の処理）が実施形態１〜５と異なる。
【００６７】
図１３は、実施形態６に係る情報処理装置１の動作（処理部１１の処理）を示すフローチャートである。図１３に示すように、実施形態６に係る処理部１１の処理は、図４に示すステップＳ１０５の処理に替えて、ステップＳ３０３の処理を含む。
【００６８】
処理部１１は、問い合わせ画面３０の表示中に、再現ボタン３２が押下されたと判定すると（ステップＳ１０３のＹｅｓ）、問い合わせ画面３０を閉じるとともに、消去対象のファイルデータ１９の種類が所定の種類に含まれるか否かを判定する（ステップＳ３０３）。所定の種類を示す情報は、第１記憶部１６に予め記憶されている。所定の種類を示す情報は、操作部１３を介してユーザーが設定可能な情報であってもよい。例えば、処理部１１は、ファイルの拡張子が所定の拡張子に含まれるか否かを判定する。所定の拡張子は、例えば「．ｐｄｆ」及び「．ｊｐｇ」を含む。所定の拡張子は、特に限定されるものではないが、データ量が大きくなり易い拡張子を含むことが好ましい。
【００６９】
処理部１１は、消去対象のファイルデータ１９の種類が所定の種類に含まれると判定すると（ステップＳ３０３のＹｅｓ）、印刷処理を実行する（ステップＳ１０６）。一方、処理部１１は、消去対象のファイルデータ１９の種類が所定の種類に含まれないと判定すると（ステップＳ３０３のＮｏ）、送信処理を実行する（ステップＳ１０７）。
【００７０】
以上、実施形態６について説明した。実施形態６によれば、消去対象のファイルデータ１９の種類が所定の種類に含まれない場合に、情報処理装置１（電子機器）から消去されたコンテンツデータ２１が添付された電子メールが送信される。したがって、所定の種類が、データ量が大きくなり易いファイルの種類を含むことにより、データ量が比較的小さいファイルデータ１９を電子メールに添付してメールサーバー３に送信することができる。よって、情報処理装置１のユーザーに割り当てられたメールサーバー３の容量が不足状態となる可能性を低減することができる。
【００７１】
［実施形態７］
続いて図１〜図３、及び図１４を参照して本発明の実施形態７について説明する。但し、実施形態１〜６と異なる事項を説明し、実施形態１〜６と同じ事項についての説明は割愛する。実施形態７は、情報処理装置１の動作（処理部１１の処理）が実施形態１〜６と異なる。
【００７２】
図１４は、実施形態７に係る情報処理装置１の動作（処理部１１の処理）を示すフローチャートである。図１４に示すように、実施形態７に係るコンテンツ再現処理は、図４に示す印刷処理（ステップＳ１０６）及び送信処理（ステップＳ１０７）に替えて、移動処理（ステップＳ３０４）を含む。
【００７３】
処理部１１は、問い合わせ画面３０の表示中に、再現ボタン３２が押下されたと判定すると（ステップＳ１０３のＹｅｓ）、問い合わせ画面３０を閉じるとともに、第２記憶部１７から第１記憶部１６へ消去対象のファイルデータ１９を移動させる（ステップＳ３０４）。具体的には、処理部１１は、第２記憶部１７から消去対象のファイルデータ１９を読み出す。この結果、第２記憶部１７から消去対象のファイルデータ１９が消去される。そして、処理部１１は、第２記憶部１７から読み出した消去対象のファイルデータ１９を第１記憶部１６に保存する。また、処理部１１は、第１記憶部１６へのファイルデータ１９の保存にあわせて、フォルダーデータ１８を更新する。第１記憶部１６に消去対象のファイルデータ１９が保存されると、図１４に示す処理は終了する。
【００７４】
以上、実施形態７について説明した。実施形態７によれば、ユーザーは、再現ボタン３２の押下により、ファイルデータ１９を、第２記憶部１７（キャッシュメモリー又はバッファーメモリー）から第１記憶部１６（ストレージ）に戻すことができる。
【００７５】
［実施形態８］
続いて図１〜図３、図５、図６、図１５、及び図１６を参照して本発明の実施形態８について説明する。但し、実施形態１〜７と異なる事項を説明し、実施形態１〜７と同じ事項についての説明は割愛する。実施形態８は、ファイルデータ１９が実施形態１〜７と異なる。
【００７６】
図１５は、実施形態８に係るファイルデータ１９を示す図である。図１５に示すように、ファイルデータ１９は、タグデータ２２を有する場合がある。タグデータ２２は、コンテンツデータ２１が秘匿情報であることを示す。
【００７７】
続いて実施形態８に係る情報処理装置１の動作（処理部１１の処理）について説明する。図１６は、実施形態８に係る情報処理装置１の動作（処理部１１の処理）を示すフローチャートである。図１６に示すように、実施形態８に係る処理部１１の処理は、図４に示す処理と比べて、ステップＳ３０５の処理が追加されている。
【００７８】
処理部１１は、問い合わせ画面３０の表示中に、再現ボタン３２が押下されたと判定すると（ステップＳ１０３のＹｅｓ）、問い合わせ画面３０を閉じるとともに、消去対象のファイルデータ１９がタグデータ２２を有するか否かを判定する（ステップＳ３０５）。換言すると、処理部１１は、コンテンツデータ２１が秘匿情報であるか否かを判定する。処理部１１は、消去対象のファイルデータ１９がタグデータ２２を有しないと判定すると（ステップＳ３０５のＮｏ）、ステップＳ１０５の処理に進む。一方、処理部１１は、消去対象のファイルデータ１９がタグデータ２２を有すると判定すると（ステップＳ３０５のＹｅｓ）、第２記憶部１７から消去対象のファイルデータ１９を消去して（ステップＳ１０８）、図１６に示す処理を終了する。
【００７９】
以上、実施形態８について説明した。実施形態８によれば、コンテンツが秘匿情報である場合、再現ボタン３２が押下されても、コンテンツを再現しない。したがって、秘匿情報が漏洩する可能性を低減することができる。また、実施形態８によれば、ファイルデータ１９がタグデータ２２を有するか否かを判定するだけで、コンテンツが秘匿情報であるか否かを判定できる。よって、コンテンツが秘匿情報であるか否かを容易に判定できる。
【００８０】
なお、タグデータ２２は、コンテンツが秘匿情報であるか否かを示し得る。この場合、処理部１１は、タグデータ２２が示す情報を解析して、コンテンツが秘匿情報であるか否かを判定する。また、情報処理装置１は、印刷処理（ステップＳ１０６）及び送信処理（ステップＳ１０７）に替えて、実施形態７において説明した移動処理を実行してもよい。
【００８１】
［実施形態９］
続いて図１〜図３、図５、図６、図１７、及び図１８を参照して本発明の実施形態９について説明する。但し、実施形態１〜８と異なる事項を説明し、実施形態１〜８と同じ事項についての説明は割愛する。実施形態９は、情報処理装置１の第１記憶部１６が記憶するデータが実施形態１〜８と異なる。
【００８２】
図１７は、実施形態９に係る情報処理装置１の第１記憶部１６が記憶するデータを示す図である。実施形態９に係るフォルダーデータ１８は、コピー情報２４を更に含む。コピー情報２４は、任意のファイルデータ１９の複製物（複製ファイルデータ）が、その任意のファイルデータ１９が格納されているフォルダー内に生成（保存）されることによって作成される。コピー情報２４は、複製物が生成されたファイルデータ１９（元のファイルデータ）と、その複製物とが互いに対応することを示す。実施形態９に係るファイルデータ１９は、保存日時データ２３を更に有する。保存日時データ２３は、ファイルデータ１９が保存された最新の日時を示す。
【００８３】
実施形態９に係るファイルデータ１９は、第１ファイルデータ１９１と、第２ファイルデータ１９２とを含む。第１ファイルデータ１９１及び第２ファイルデータ１９２は、同じフォルダーに格納される。第１ファイルデータ１９１は、第１コンテンツデータ２１１と、保存日時データ２３１とを有する。同様に、第２ファイルデータ１９２は、第２コンテンツデータ２１２と、保存日時データ２３２とを有する。
【００８４】
本実施形態において、第２ファイルデータ１９２は、第１ファイルデータ１９１の複製物（複製ファイルデータ）である。詳しくは、第２ファイルデータ１９２は、第１ファイルデータ１９１の保存日時データ２３１が示す日時よりも古い日時に保存された第１ファイルデータ１９１に相当する。したがって、第２ファイルデータ１９２の保存日時データ２３２は、第１ファイルデータ１９１の保存日時データ２３１が示す日時よりも古い日時を示す。
【００８５】
実施形態９に係るフォルダーデータ１８は、フォルダーデータ１８１を含む。フォルダーデータ１８１は、第１ファイルデータ１９１と第２ファイルデータ１９２とが格納されるフォルダーのデータである。フォルダーデータ１８１は、コピー情報２４１を含む。コピー情報２４１は、第１ファイルデータ１９１と第２ファイルデータ１９２とが互いに対応していることを示す。以下、あるファイルデータ１９に対応するファイルデータ１９を、対応ファイルデータ１９ａと記載する場合がある。本実施形態において、第２ファイルデータ１９２は、第１ファイルデータ１９１の対応ファイルデータ１９ａであり、第１ファイルデータ１９１は、第２ファイルデータ１９２の対応ファイルデータ１９ａである。
【００８６】
なお、対応ファイルデータ１９ａは１つに限定されない。例えば、ファイルデータＡの複製物がファイルデータＢであり、ファイルデータＢの複製物がファイルデータＣである場合、コピー情報２４は、ファイルデータＡ、Ｂ、Ｃが互いに対応することを示す。また、ファイルデータＢ、Ｃがそれぞれ異なる日時にファイルデータＡを複製して生成された複製物である場合、コピー情報２４は、ファイルデータＡ、Ｂ、Ｃが互いに対応することを示す。ファイルデータＡ、Ｂ、Ｃが互いに対応する場合、ファイルデータＡの対応ファイルデータ１９ａは、ファイルデータＢ、Ｃであり、ファイルデータＢの対応ファイルデータ１９ａは、ファイルデータＣ、Ａであり、ファイルデータＣの対応ファイルデータ１９ａは、ファイルデータＡ、Ｂである。
【００８７】
続いて実施形態９に係る情報処理装置１の動作（処理部１１の処理）について説明する。図１８は、実施形態９に係る情報処理装置１の動作（処理部１１の処理）を示すフローチャートである。図１８に示すように、実施形態９に係る処理部１１の処理は、図４に示す処理と比べて、ステップＳ３０６及びステップＳ３０７の処理を更に含む。
【００８８】
処理部１１は、問い合わせ画面３０の表示中に、再現ボタン３２が押下されたと判定すると（ステップＳ１０３のＹｅｓ）、問い合わせ画面３０を閉じるとともに、消去対象のファイルデータ１９が格納されているフォルダーのフォルダーデータ１８にアクセスする。そして、処理部１１は、フォルダーデータ１８を参照して、消去対象のファイルデータ１９に対応するファイルデータ１９ａが存在するか否かを判定する（ステップＳ３０６）。
【００８９】
処理部１１は、対応ファイルデータ１９ａが存在しないと判定した場合（ステップＳ３０６のＮｏ）、ステップＳ１０５の処理に進む。この結果、コンテンツ再現処理（ステップＳ１０６の印刷処理、又はステップＳ１０７の送信処理）が実行された後、消去対象のファイルデータ１９が第２記憶部１７から消去される（ステップＳ１０８）。
【００９０】
一方、処理部１１は、対応ファイルデータ１９ａが存在すると判定した場合（ステップＳ３０６のＹｅｓ）、消去対象のファイルデータ１９の保存日時データ２３と、対応ファイルデータ１９ａの保存日時データ２３とを参照する。そして、処理部１１は、消去対象のファイルデータ１９の保存日時が、対応ファイルデータ１９ａの保存日時よりも新しいか否かを判定する（ステップＳ３０７）。
【００９１】
処理部１１は、消去対象のファイルデータ１９の保存日時が、対応ファイルデータ１９ａの保存日時よりも新しいと判定した場合（ステップＳ３０７のＹｅｓ）、ステップＳ１０５の処理に進む。
【００９２】
一方、処理部１１は、消去対象のファイルデータ１９の保存日時が、対応ファイルデータ１９ａの保存日時よりも新しくないと判定した場合（ステップＳ３０７のＮｏ）、ステップＳ１０８の処理に進む。この結果、コンテンツ再現処理が実行されることなく、第２記憶部１７から消去対象のファイルデータ１９が消去される（ステップＳ１０８）。
【００９３】
本実施形態では、消去対象のファイルデータ１９が第１ファイルデータ１９１である場合、処理部１１は、フォルダーデータ１８１を参照して、第２ファイルデータ１９２が第１ファイルデータ１９１に対応するファイルデータ１９ａであると判定し、第１ファイルデータ１９１の保存日時データ２３１と、第２ファイルデータ１９２の保存日時データ２３２とを参照する。この結果、処理部１１は、消去対象である第１ファイルデータ１９１の保存日時が第２ファイルデータ１９２の保存日時よりも新しいと判定して、第１ファイルデータ１９１のコンテンツ再現処理を実行した後（ステップＳ１０６の印刷処理、又はステップＳ１０７の送信処理）、第１ファイルデータ１９１を第２記憶部１７から消去する（ステップＳ１０８）。
【００９４】
一方、消去対象のファイルデータ１９が第２ファイルデータ１９２である場合、処理部１１は、フォルダーデータ１８１を参照して、第１ファイルデータ１９１が第２ファイルデータ１９２に対応するファイルデータ１９ａであると判定し、第２ファイルデータ１９２の保存日時データ２３２と第１ファイルデータ１９１の保存日時データ２３１とを参照する。この結果、処理部１１は、消去対象である第２ファイルデータ１９２の保存日時が第１ファイルデータ１９１の保存日時よりも新しくないと判定して、第２ファイルデータ１９２のコンテンツ再現処理を実行することなく、第２記憶部１７から第２ファイルデータ１９２を消去する（ステップＳ１０８）。
【００９５】
以上、実施形態９について説明した。実施形態９によれば、消去対象のファイルデータ１９よりも保存日時が新しい対応ファイルデータ１９ａが存在する場合、コンテンツ再現処理が実行されない。よって、用紙のような記録材の消費を抑制することができる。また、電子メールの送信回数を抑制して、情報処理装置１のユーザーに割り当てられたメールサーバー３の容量が不足状態となる可能性を低減することができる。
【００９６】
また、実施形態９によれば、フォルダーデータ１８がコピー情報２４を含む。フォルダーデータ１８は、同一のフォルダーに格納されるファイルデータ１９を特定する情報を含み、コピー情報２４は、同一のフォルダー内に格納されているファイルデータ１９同士の対応関係（複製関係）を示す。したがって、消去対象のファイルデータ１９が格納されるフォルダーのフォルダーデータ１８を参照することにより、消去対象のファイルデータ１９と対応するファイルデータ１９ａが存在するか否かを容易に判定することができる。また、消去対象のファイルデータ１９に対応するファイルデータ１９ａが存在する場合、対応ファイルデータ１９ａを容易に特定することができる。
【００９７】
なお、消去対象のファイルデータ１９に対応するファイルデータ１９ａが存在するか否かの判定のみによって、コンテンツ再現処理を実行するか否かを決定してもよい。詳しくは、対応ファイルデータ１９ａが存在しない場合にのみ、処理部１１は、コンテンツ再現処理を実行してもよい。この場合、図１８に示すフローにおいて、ステップＳ３０７の処理は省略される。また、処理部１１は、対応ファイルデータ１９ａが存在すると判定すると（ステップＳ３０６のＹｅｓ）、ステップＳ１０８の処理に進む。
【００９８】
また、本実施形態では、第１記憶部１６は、コピー情報２４を含むフォルダーデータ１８を記憶したが、第１記憶部１６は、フォルダーデータ１８に関連付けてコピー情報２４を記憶してもよい。
【００９９】
また、コピー情報２４は、任意のファイルデータ１９の複製物（複製ファイルデータ）が、その任意のファイルデータ１９が格納されているフォルダー内、又はそのフォルダーとは異なるフォルダー内に生成（保存）されることによって作成されてもよい。この場合、第１記憶部１６は、フォルダーデータ１８から独立したコピー情報２４を記憶し、コピー情報２４は、複製物が生成されたファイルデータ１９（元のファイルデータ）を特定する情報と、その複製物を特定する情報とを含む。
【０１００】
また、情報処理装置１は、印刷処理（ステップＳ１０６）及び送信処理（ステップＳ１０７）に替えて、実施形態７において説明した移動処理を実行してもよい。
【０１０１】
また、情報処理装置１は、実施形態８において説明したように、消去対象のコンテンツが秘匿情報か否かを判定してもよい。この場合、情報処理装置１は、消去対象のコンテンツが秘匿情報であると判定すると、対応ファイルデータ１９ａの有無に拘らず、コンテンツ再現処理を実行しない。
【０１０２】
［実施形態１０］
続いて図１９〜図２１を参照して本発明の実施形態１０について説明する。但し、実施形態１〜９と異なる事項を説明し、実施形態１〜９と同じ事項についての説明は割愛する。実施形態１０は、実施形態１〜９と異なり、印刷装置２がファイル（電子ファイル）を管理する。
【０１０３】
図１９は、実施形態１０に係るファイル復元システム１００（ファイル再現システム）を示す図である。図１９に示すように、実施形態１０に係るファイル復元システム１００は、情報処理装置１、印刷装置２、及びメールサーバー３を備える。実施形態１０では、印刷装置２が本発明に係る電子機器に相当する。なお、実施形態１０において、印刷装置２は複合機である。但し、印刷装置２は、メールサーバー３に対して電子メールの送信が可能であればよく、複合機に限定されない。例えば、印刷装置２は、複写機、又はプリンターであり得る。
【０１０４】
図２０は、実施形態１０に係る印刷装置２の構成を示すブロック図である。図２０に示すように、実施形態１０に係る印刷装置２は、処理部４１、記憶部４２、操作パネル４３、印刷部４４、及び通信部４５を備える。
【０１０５】
処理部４１は、ＣＰＵのようなプロセッサーを含む。処理部４１は更に、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）のような画像処理用の電子部品を含む。処理部４１は、印刷装置２の各部からデータ及び信号を受信する。また、処理部４１は、記憶部４２に記憶されているプログラムを実行することによって、印刷装置２の各部の動作を制御する。例えば、処理部４１は、外部から受信した画像データに基づいて印刷ジョブを生成する。外部から受信した画像データは、画像処理用の電子部品によって印刷用の画像データに変換される。あるいは、印刷装置２がスキャナーを備える場合、処理部４１は、スキャナーによって読み取られた原稿の画像データに基づいて印刷ジョブを生成する。処理部４１は、印刷ジョブに基づいて印刷部４４を制御する。この結果、用紙のような記録媒体に画像に印刷される。
【０１０６】
記憶部４２は、例えばＲＯＭ及びＲＡＭのようなメモリーを含む。更に、記憶部１２は、例えばＨＤＤ又はＳＳＤのようなストレージを含む。ＲＯＭは、典型的には、ファームウェアを記憶する。ファームウェアは、印刷装置２（電子機器）に組み込まれたコンピューターシステム（ハードウェア）を制御するためのソフトウェアである。ＲＡＭは、典型的には、ＯＳを記憶する。また、ＲＡＭは、プロセッサーの作業領域としても機能する。ストレージは、典型的には、アプリケーションプログラム、及び設定値等を記憶する。また、ストレージは、操作パネル４３に表示する各種の画像（画像データ）を記憶する。画像データは、操作画面の画像データ（レイアウト画像等）を含む。操作画面は、例えば、各種情報の入力が可能なダイアログボックス画面である。
【０１０７】
実施形態１０において、記憶部４２は、第１記憶部４６及び第２記憶部４７を含む。第１記憶部４６は、典型的には、ＨＤＤ又はＳＳＤによって構成される。第２記憶部４７は、典型的には、ＲＡＭによって構成される。例えば、第２記憶部４７は、ＳＤＲＡＭによって構成され得る。したがって、第２記憶部４７は、典型的には、第１記憶部４６よりも容量が小さく、第１記憶部４６よりもアクセス速度が速い。よって、第２記憶部４７は、キャッシュメモリー又はバッファーメモリーとして使用され得る。
【０１０８】
実施形態１０に係る第１記憶部４６は、フォルダーデータ１８、ファイルデータ１９、問い合わせ画面データ２０、及び電子メールアドレス情報２５を記憶する。電子メールアドレス情報２５は、印刷装置２のユーザーに対して登録された電子メールアドレスを示す。電子メールアドレスは、ユーザー自身が登録してもよいし、印刷装置２の設定を変更する権限を有する第３者が登録してもよい。
【０１０９】
第２記憶部４７は、操作パネル４３がファイルデータ１９を消去する指示を受け付けた際に、ファイルデータ１９を記憶する。具体的には、操作パネル４３がファイルデータ１９を消去する指示を受け付けると、処理部４１が、第１記憶部４６から第２記憶部４７へファイルデータ１９を移動させる。この結果、ファイルデータ１９が第１記憶部４６から消去される。また、処理部４１は、ファイルデータ１９の第１記憶部４６からの消去にあわせて、フォルダーデータ１８を更新する。
【０１１０】
操作パネル４３は、タッチパネル４３ａと操作ボタン４３ｂとを含む。タッチパネル４３ａは、ディスプレー装置とタッチセンサーとを備える。タッチセンサーは、ディスプレー装置の表示面上に重畳される。タッチセンサーは、ユーザーからの指示を受け付ける。すなわち、ユーザーは、タッチパネル４３ａが有するタッチ面をタッチすることによって、印刷装置２に対する指示を入力することができる。ディスプレー装置は、例えば液晶ディスプレー又は有機ＥＬディスプレーである。タッチパネル４３ａ（ディスプレー装置）は、処理部４１によって制御されて、各種の画像及び各種の画面を表示する。例えば、処理部４１は、問い合わせ画面データ２０に基づいて、表示部１４に問い合わせ画面を表示させる。
【０１１１】
操作ボタン４３ｂは、ハードキーである。操作ボタン４３ｂは、例えば、テンキー、及びスタートキーを含む。操作ボタン４３ｂは、ユーザーからの指示を受け付ける。すなわち、ユーザーは、操作ボタン４３ｂを操作することによって、印刷装置２に対する指示を入力することができる。
【０１１２】
本実施形態において、タッチパネル４３ａは、図３を参照して説明した問い合わせ画面３０（再現ボタン３２）を表示する。タッチパネル４３ａ（操作パネル４３）は、問い合わせ画面３０の表示中に、第１記憶部４６から消去されたファイルを再現する指示を受け付けることができる。実施形態１０では、ユーザーは、タッチパネル４３ａのタッチ面をタッチして再現ボタン３２を押下することにより、ファイルの再現を指示することができる。処理部４１は、再現ボタン３２が押下されたことを検知すると、コンテンツ再現処理（コンテンツ復元処理）を実行する。
【０１１３】
印刷部４４は、用紙等の記録媒体に画像を印刷（形成）する。印刷部４４は、例えば電子写真方式又はインクジェット方式によって画像を印刷（形成）する。電子写真方式によって画像を印刷する場合、印刷部４４は、トナーを含み、トナーを用いて画像を印刷（形成）する。インクジェット方式によって画像を印刷する場合、印刷部４４はインクを含み、インク滴を用いて画像を印刷（形成）する。
【０１１４】
トナーを用いて画像を印刷（形成）する場合、印刷部４４は、典型的には、感光体ドラムと、定着装置と、感光体ドラムの周囲に配置された帯電装置、露光装置、現像装置、及び転写装置とを有する。帯電装置は、感光体ドラムの周面を一様に帯電させる。露光装置は、画像データに基づいてレーザー光を出射して、感光体ドラムの周面に静電潜像を形成する。現像装置は、トナーを供給して静電潜像を現像する。この結果、感光体ドラムの周面にトナー像が形成される。転写装置は、記録媒体にトナー像を転写する。定着装置は、記録媒体を加圧及び加熱して、トナー像を記録媒体に定着させる。インク滴を用いて画像を印刷する場合、印刷部４４は、典型的には、記録ヘッドを有する。記録ヘッドは、インク滴を吐出して、記録媒体に画像を印刷（形成）する。
【０１１５】
通信部４５は、例えば通信インターフェイスであり、ネットワークケーブルと接続するコネクターを含み得る。通信部４５は、メールサーバー３と接続する。例えば、通信部４５は、インターネットのような公共のネットワークを介してメールサーバー３と接続する。印刷装置２（処理部４１）は、通信部４５を介して、メールサーバー３へ電子メールを送信する。本実施形態において、処理部４１は、電子メールアドレス情報２５を参照して、印刷装置２にログインしたユーザーに対して登録された電子メールアドレスを取得する。処理部４１は、取得した電子メールアドレスを電子メールの宛先に設定し、通信部４５を介して電子メールをメールサーバー３に送信する。この結果、印刷装置２にログインしたユーザーに対して事前に登録された宛先の情報処理装置１へ、電子メールが送信される。
【０１１６】
続いて図１９〜図２１を参照して、実施形態１０に係る印刷装置２の動作（処理部４１の処理）について説明する。図２１は、実施形態１０に係る印刷装置２の動作（処理部４１の処理）を示すフローチャートである。図２１に示す処理は、図４に示す処理と同様の処理であり、実施形態１０に係るコンテンツ再現処理は、印刷処理（ステップＳ１１０６）及び送信処理（ステップＳ１１０７）を含む。
【０１１７】
図２１に示す処理（印刷装置２の動作）は、操作パネル４３がファイルデータ１９を消去する指示を受け付けることによって開始する。操作パネル４３がファイルデータ１９を消去する指示を受け付けると、まず、処理部４１は、第１記憶部４６から消去対象のファイルデータ１９を読み出す。この結果、第１記憶部４６から消去対象のファイルデータ１９が消去される。そして、処理部４１は、第１記憶部４６から読み出した消去対象のファイルデータ１９を第２記憶部４７に保存する（ステップＳ１１０１）。
【０１１８】
処理部４１は、第２記憶部４７に消去対象のファイルデータ１９を保存した後、操作パネル４３（タッチパネル４３ａ）に問い合わせ画面３０（再現ボタン３２）を表示させる（ステップＳ１１０２）。また、処理部４１は、操作パネル４３が問い合わせ画面３０を表示すると、計時処理を開始する。例えば、処理部４１は、タイマーを含み、操作パネル４３が問い合わせ画面３０を表示すると、タイマーを起動する。
【０１１９】
処理部４１は、操作パネル４３が問い合わせ画面３０を表示すると、再現ボタン３２が押下されたか否かを判定する（ステップＳ１１０３）。処理部４１は、再現ボタン３２が押下されていないと判定すると（ステップＳ１１０３のＮｏ）、経過時間が規定時間以上であるか否かを判定する（ステップＳ１１０４）。具体的には、操作パネル４３が問い合わせ画面３０を表示してから規定時間以上の時間が経過したか否かを判定する。規定時間（閾値）は、第１記憶部４６に予め記憶されている。例えば、処理部４１は、タイマーのカウント値が規定値に達したか否かを判定する。処理部４１は、経過時間が規定時間以上でないと判定すると（ステップＳ１１０４のＮｏ）、ステップＳ１１０３の処理に戻る。規定時間は、例えば２分である。なお、規定時間は、操作パネル４３を介してユーザーが設定可能な設定値であってもよい。
【０１２０】
処理部４１は、再現ボタン３２が押下されたと判定すると（ステップＳ１１０３のＹｅｓ）、問い合わせ画面３０を閉じる（表示画面から問い合わせ画面３０を消去する）とともに、消去対象のコンテンツデータ２１のデータ量が規定量以上か否かを判定する（ステップＳ１１０５）。規定量（閾値）は、第１記憶部４６に予め記憶されている。規定量は、例えば１０ＭＢ（メガバイト）である。なお、規定量は、操作パネル４３を介してユーザーが設定可能な設定値であってもよい。
【０１２１】
処理部４１は、消去対象のコンテンツデータ２１のデータ量が規定量以上であると判定すると（ステップＳ１１０５のＹｅｓ）、印刷処理を実行する（ステップＳ１１０６）。処理部４１が実行する印刷処理は、消去対象のファイルデータ１９のコンテンツを印刷部４４に印刷させる処理である。また、処理部４１は、消去対象のコンテンツデータ２１のデータ量が規定量以上でないと判定すると（ステップＳ１１０５のＮｏ）、送信処理を実行する（ステップＳ１１０７）。処理部４１が実行する送信処理は、印刷装置２にログインしたユーザーに対して事前に登録された宛先の情報処理装置１へ向けて、消去対象のファイルデータ１９を添付した電子メールを、メールサーバー３を介して送信する処理である。
【０１２２】
処理部４１は、印刷処理（ステップＳ１１０６）又は送信処理（ステップＳ１１０７）を実行した後、第２記憶部４７から消去対象のファイルデータ１９を消去する（ステップＳ１１０８）。第２記憶部４７から消去対象のファイルデータ１９が消去されると、図２１に示す処理は終了する。あるいは、処理部４１は、経過時間が規定時間以上であると判定すると（ステップＳ１１０４のＹｅｓ）、問い合わせ画面３０を閉じるとともに、第２記憶部４７から消去対象のファイルデータ１９を消去して（ステップＳ１１０８）、図２１に示す処理を終了する。
【０１２３】
以上、実施形態１０について説明した。実施形態１０によれば、ユーザーは、誤操作によって必要なファイルを消去（誤消去）した場合でも、その消去したファイルのコンテンツを取得することができる。具体的には、コンテンツのデータ量が規定量以上である場合、ユーザーは、印刷装置２（電子機器）から消去したコンテンツが印刷された印刷物を取得することができる。また、コンテンツのデータ量が規定量よりも小さい場合、ユーザーは、印刷装置２（電子機器）から消去したコンテンツが添付された電子メールを取得することができる。
【０１２４】
また、実施形態１０によれば、コンテンツのデータ量が規定量よりも小さい場合に、印刷装置２（電子機器）から消去されたコンテンツが添付された電子メールが送信される。したがって、ファイルデータ１９のデータ量が比較的小さい場合に、電子メールがメールサーバー３に送信される。よって、印刷装置２にログインしたユーザーに割り当てられたメールサーバー３の容量が不足状態となる可能性を低減することができる。
【０１２５】
また、実施形態１０によれば、問い合わせ画面３０（再現ボタン３２）が表示されてから規定時間が経過すると、問い合わせ画面３０（再現ボタン３２）が表示画面から消える。したがって、ユーザーは、意図的にファイルを消去した場合、何も操作する必要がない。
【０１２６】
なお、第１記憶部４６は、複数のファイルを記憶してもよい。また、第１記憶部４６は、複数のフォルダーを記憶してもよい。
【０１２７】
また、印刷装置２の通信部４５は、メールサーバーを介すことなく、情報処理装置１に接続し得る。例えば、通信部４５は、ＬＡＮを介して情報処理装置１と接続してもよい。この場合、メールサーバーを介すことなく、印刷装置２から情報処理装置１へ電子メールが送信される。
【０１２８】
また、印刷装置２は、印刷処理（ステップＳ１１０６）及び送信処理（ステップＳ１１０７）に替えて、実施形態７において説明した移動処理を実行してもよい。
【０１２９】
また、印刷装置２は、実施形態８において説明したように、消去対象のファイルデータ１９が秘匿情報か否かを判定してもよい。この場合、印刷装置２は、消去対象のファイルデータ１９が秘匿情報であると判定すると、コンテンツ再現処理を実行しない。
【０１３０】
また、印刷装置２は、実施形態９において説明したように、消去対象のファイルデータ１９に対応するファイルデータ１９ａの有無に基づいて、コンテンツ再現処理を実行するか否かを決定してもよい。
【０１３１】
［実施形態１１］
続いて図２２〜図２４を参照して本発明の実施形態１１について説明する。但し、実施形態１〜１０と異なる事項を説明し、実施形態１〜１０と同じ事項についての説明は割愛する。実施形態１１は、実施形態１〜１０と異なり、ファイルサーバー４がファイル（電子ファイル）を管理する。ファイルサーバー４は、本発明に係るファイル管理装置に相当する。
【０１３２】
図２２は、実施形態１１に係るファイル復元システム１００（ファイル再現システム）を示す図である。図２２に示すように、実施形態１１に係るファイル復元システム１００は、情報処理装置１、印刷装置２、メールサーバー３、及びファイルサーバー４を備える。実施形態１１では、情報処理装置１が本発明に係る電子機器に相当する。
【０１３３】
図２３は、実施形態１１に係る情報処理装置１及びファイルサーバー４の構成を示すブロック図である。図２３に示すように、ファイルサーバー４は、フォルダーデータ１８、及びファイルデータ１９を記憶する。
【０１３４】
実施形態１１に係る情報処理装置１の通信部１５は、例えば、インターネットのような公共のネットワーク、あるいはＬＡＮを介してファイルサーバー４と接続する。実施形態１１に係る情報処理装置１は、通信部１５を介して、ファイルサーバー４との間でデータ通信を行う。
【０１３５】
実施形態１１に係る情報処理装置１は、ファイルサーバー４を操作する。例えば、情報処理装置１は、ファイルサーバー４に対して、ファイルデータ１９の保存、及びファイルデータ１９の消去を実行させる。具体的には、情報処理装置１は、ファイルサーバー４からフォルダーデータ１８及びファイルデータ１９を取得する。この結果、表示部１４がフォルダー画面を表示する。ユーザーは、操作部１３を操作することにより、フォルダー画面を介して、例えばファイルデータ１９を消去する指示を入力することができる。ユーザーがファイルデータ１９を消去する指示を入力すると、情報処理装置１は、ファイルサーバー４に対して、ファイルデータ１９の消去を要求する。
【０１３６】
実施形態１１に係る情報処理装置１の第１記憶部１６は、処理部１１がファイルサーバー４から取得したフォルダーデータ１８及びファイルデータ１９を一時的に記憶する。フォルダーデータ１８及びファイルデータ１９は、情報処理装置１とファイルサーバー４との通信が終了すると、第１記憶部１６から消去される。また、ユーザーがファイルデータ１９を消去する指示を入力すると、処理部１１は、第１記憶部１６から第２記憶部１７へファイルデータ１９を移動させる。
【０１３７】
なお、本実施形態において、表示部１４は、図３を参照して説明した問い合わせ画面３０（再現ボタン３２）を表示する。
【０１３８】
続いて実施形態１１に係る情報処理装置１の動作（処理部１１の処理）について説明する。図２４は、実施形態１１に係る情報処理装置１の動作（処理部１１の処理）を示すフローチャートである。図２４に示すように、実施形態１１に係る処理部１１の処理は、図４に示す処理と比べて、ステップＳ４０１を更に含む。
【０１３９】
図２４に示す処理（情報処理装置１の動作）は、操作部１３がファイルデータ１９を消去する指示を受け付けることによって開始する。操作部１３がファイルデータ１９を消去する指示を受け付けると、まず、処理部１１は、ファイルサーバー４に対して、消去対象のファイルデータ１９の消去を要求する（ステップＳ４０１）。この結果、消去対象のファイルデータ１９がファイルサーバー４から消去される。
【０１４０】
次に、処理部１１は、第１記憶部１６から消去対象のファイルデータ１９を読み出す。この結果、第１記憶部１６から消去対象のファイルデータ１９が消去される。そして、処理部１１は、第１記憶部１６から読み出した消去対象のファイルデータ１９を第２記憶部１７に保存する（ステップＳ１０１）。また、処理部１１は、ファイルデータ１９の第１記憶部１６からの消去にあわせて、フォルダーデータ１８を更新する。更に、処理部１１は、更新後のフォルダーデータ１８をファイルサーバー４に送信する。この結果、ファイルサーバー４が記憶するフォルダーデータ１８が更新される。
【０１４１】
以上、実施形態１１について説明した。実施形態１１によれば、ユーザーは、誤操作によって必要なファイルを消去（誤消去）した場合でも、その消去したファイルのコンテンツを取得することができる。具体的には、コンテンツのデータ量が規定量以上である場合、ユーザーは、ファイルサーバー４から消去したコンテンツが印刷された印刷物を取得することができる。また、コンテンツのデータ量が規定量よりも小さい場合、ユーザーは、ファイルサーバー４から消去したコンテンツが添付された電子メールを取得することができる。
【０１４２】
なお、情報処理装置１は、実施形態８において説明したように、消去対象のファイルデータ１９が秘匿情報か否かを判定してもよい。この場合、情報処理装置１は、消去対象のファイルデータ１９が秘匿情報であると判定すると、コンテンツ再現処理を実行しない。
【０１４３】
また、情報処理装置１は、実施形態９において説明したように、消去対象のファイルデータ１９に対応するファイルデータ１９ａの有無に基づいてコンテンツ再現処理を実行するか否かを決定してもよい。
【０１４４】
［実施形態１２］
続いて図２５〜図２７を参照して本発明の実施形態１２について説明する。但し、実施形態１〜１１と異なる事項を説明し、実施形態１〜１１と同じ事項についての説明は割愛する。実施形態１２は、実施形態１〜１１と異なり、印刷装置２がファイルサーバー４を操作する。
【０１４５】
図２５は、実施形態１２に係るファイル復元システム１００（ファイル再現システム）を示す図である。図２５に示すように、実施形態１２に係るファイル復元システム１００は、情報処理装置１、印刷装置２、メールサーバー３、及びファイルサーバー４を備える。実施形態１２では、印刷装置２が本発明に係る電子機器に相当する。
【０１４６】
図２６は、実施形態１２に係る印刷装置２及びファイルサーバー４の構成を示すブロック図である。図２６に示すように、ファイルサーバー４がファイル（電子ファイル）を管理する。
【０１４７】
実施形態１２に係る印刷装置２の通信部４５は、例えば、インターネットのような公共のネットワーク、あるいはＬＡＮを介してファイルサーバー４と接続する。実施形態１２に係る印刷装置２は、通信部４５を介して、ファイルサーバー４との間でデータ通信を行う。
【０１４８】
実施形態１２に係る印刷装置２は、ファイルサーバー４を操作する。例えば、印刷装置２は、ファイルサーバー４に対して、ファイルデータ１９の保存、及びファイルデータ１９の消去を実行させる。具体的には、印刷装置２は、ファイルサーバー４からフォルダーデータ１８及びファイルデータ１９を取得する。この結果、操作パネル４３（タッチパネル４３ａ）がフォルダー画面を表示する。ユーザーは、操作パネル４３を操作することにより、フォルダー画面を介して、例えばファイルデータ１９を消去する指示を入力することができる。ユーザーがファイルデータ１９を消去する指示を入力すると、印刷装置２は、ファイルサーバー４に対して、ファイルデータ１９の消去を要求する。
【０１４９】
実施形態１２に係る印刷装置２の第１記憶部４６は、処理部４１がファイルサーバー４から取得したフォルダーデータ１８及びファイルデータ１９を一時的に記憶する。フォルダーデータ１８及びファイルデータ１９は、印刷装置２とファイルサーバー４との通信が終了すると、第１記憶部４６から消去される。また、ユーザーがファイルデータ１９を消去する指示を入力すると、処理部４１は、第１記憶部４６から第２記憶部４７へファイルデータ１９を移動させる。
【０１５０】
なお、本実施形態において、操作パネル４３（タッチパネル４３ａ）は、図３を参照して説明した問い合わせ画面３０（再現ボタン３２）を表示する。
【０１５１】
続いて実施形態１２に係る印刷装置２の動作（処理部４１の処理）について説明する。図２７は、実施形態１２に係る印刷装置２の動作（処理部４１の処理）を示すフローチャートである。図２７に示すように、実施形態１２に係る処理部４１の処理は、図２１に示す処理と比べて、ステップＳ１４０１を更に含む。
【０１５２】
図２７に示す処理（印刷装置２の動作）は、操作パネル４３がファイルデータ１９を消去する指示を受け付けることによって開始する。操作パネル４３がファイルデータ１９を消去する指示を受け付けると、まず、処理部４１は、ファイルサーバー４に対して、消去対象のファイルデータ１９の消去を要求する（ステップＳ１４０１）。この結果、消去対象のファイルデータ１９がファイルサーバー４から消去される。
【０１５３】
次に、処理部４１は、第１記憶部４６から消去対象のファイルデータ１９を読み出す。この結果、第１記憶部４６から消去対象のファイルデータ１９が消去される。そして、処理部４１は、第１記憶部４６から読み出した消去対象のファイルデータ１９を第２記憶部４７に保存する（ステップＳ１１０１）。また、処理部４１は、ファイルデータ１９の第１記憶部４６からの消去にあわせて、フォルダーデータ１８を更新する。更に、処理部４１は、更新後のフォルダーデータ１８をファイルサーバー４に送信する。この結果、ファイルサーバー４が記憶するフォルダーデータ１８が更新される。
【０１５４】
以上、実施形態１２について説明した。実施形態１２によれば、ユーザーは、誤操作によって必要なファイルを消去（誤消去）した場合でも、その消去したファイルのコンテンツを取得することができる。具体的には、コンテンツのデータ量が規定量以上である場合、ユーザーは、ファイルサーバー４から消去したコンテンツが印刷された印刷物を取得することができる。また、コンテンツのデータ量が規定量よりも小さい場合、ユーザーは、ファイルサーバー４から消去したコンテンツが添付された電子メールを取得することができる。
【０１５５】
なお、印刷装置２は、実施形態８において説明したように、消去対象のファイルデータ１９が秘匿情報か否かを判定してもよい。この場合、印刷装置２は、消去対象のファイルデータ１９が秘匿情報であると判定すると、コンテンツ再現処理を実行しない。
【０１５６】
また、印刷装置２は、実施形態９において説明したように、消去対象のファイルデータ１９に対応するファイルデータ１９ａの有無に基づいてコンテンツ再現処理を実行するか否かを決定してもよい。
【０１５７】
以上、本発明の実施形態について図面を参照しながら説明した。但し、本発明は、上記の実施形態に限られるものではなく、その要旨を逸脱しない範囲で種々の態様において実施することが可能である。
【０１５８】
例えば、本発明の実施形態では、本発明に係る電子機器として、情報処理装置１及び印刷装置２を説明したが、本発明に係る電子機器は、ファイルサーバーであり得る。この場合、ファイルサーバーにログインしたユーザーに対して事前に登録された宛先の情報処理装置へ、電子メールが送信される。
【０１５９】
また、本発明の実施形態では、ユーザーがファイルデータ１９を消去する指示を入力した場合に問い合わせ画面３０が表示されたが、本発明の実施形態はこれに限定されない。消去対象のファイルデータ１９が格納されていたフォルダーが閉じられた後、そのフォルダーを開く指示をユーザーから受け付けた場合に、問い合わせ画面３０が表示されてもよい。
【０１６０】
また、本発明の実施形態において説明した各事項は適宜組み合わせることができる。例えば、実施形態４〜１２では、図３を参照して説明した問い合わせ画面３０が表示されたが、本発明の実施形態はこれに限定されない。実施形態４〜１２において、図７又は図９を参照して説明した問い合わせ画面３０が表示されてもよい。また、実施形態８〜１２では、実施形態１と同様に、コンテンツのデータ量に基づいて印刷処理及び送信処理の一方が選択されて実行されたが、本発明の実施形態はこれに限定されない。実施形態８〜１２において、実施形態４と同様にコンテンツの頁数に基づいて印刷処理及び送信処理の一方が選択されて実行されてもよいし、実施形態５と同様にコンテンツの頁数とデータ量とに基づいて印刷処理及び送信処理の一方が選択されて実行されてもよいし、実施形態６と同様にファイルの種類に基づいて印刷処理及び送信処理の一方が選択されて実行されてもよい。
【産業上の利用可能性】
【０１６１】
本発明によれば、書類等を電子化したファイルを管理する電子機器に有用である。
【符号の説明】
【０１６２】
１          情報処理装置
２          印刷装置
３          メールサーバー
４          ファイルサーバー
１１        処理部
１２        記憶部
１３        操作部
１４        表示部
１５        通信部
１６        第１記憶部
１７        第２記憶部
１８        フォルダーデータ
１９        ファイルデータ
１９ａ      対応ファイルデータ
２０        問い合わせ画面データ
２１        コンテンツデータ
２２        タグデータ
２３        保存日時データ
２４        コピー情報
２５        電子メールアドレス情報
３０        問い合わせ画面
３２        再現ボタン
４１        処理部
４２        記憶部
４３        操作パネル
４３ａ      タッチパネル
４３ｂ      操作ボタン
４４        印刷部
４５        通信部
４６        第１記憶部
４７        第２記憶部
１００      ファイル復元システム
【図１】
2018185880.tif 000003
【図２】
2018185880.tif 000004
【図３】
2018185880.tif 000005
【図４】
2018185880.tif 000006
【図５】
2018185880.tif 000007
【図６】
2018185880.tif 000008
【図７】
2018185880.tif 000009
【図８】
2018185880.tif 000010
【図９】
2018185880.tif 000011
【図１０】
2018185880.tif 000012
【図１１】
2018185880.tif 000013
【図１２】
2018185880.tif 000014
【図１３】
2018185880.tif 000015
【図１４】
2018185880.tif 000016
【図１５】
2018185880.tif 000017
【図１６】
2018185880.tif 000018
【図１７】
2018185880.tif 000019
【図１８】
2018185880.tif 000020
【図１９】
2018185880.tif 000021
【図２０】
2018185880.tif 000022
【図２１】
2018185880.tif 000023
【図２２】
2018185880.tif 000024
【図２３】
2018185880.tif 000025
【図２４】
2018185880.tif 000026
【図２５】
2018185880.tif 000027
【図２６】
2018185880.tif 000028
【図２７】
2018185880.tif 000029